(57)【要約】【課題】蛍光灯のシーリングカバーに動力と羽根をつけた省エネシーリングカバーを提供する。【解決手段】天下げ蛍光灯のシーリングカバーを二重構造にし、内筒に小型モータと駆動ギアを設け、外筒に動力受けギアと６枚の羽根を設け、内外筒はスムーズな回転を伝えるベアリングをはめ込み一体物とし、デザインを兼ねた通気口付きカバーで天井に取り付け、モータの回転運動をギアとベアリングで外筒に伝え回転さすことで羽根が室内上部空気を壁面に沿って床面に押し下げ対流循環現象を誘発させ室温を早く一定にする特徴をもったシーリングファン。【選択図】図１
2005180412.tif 000002
【特許請求の範囲】
【請求項１】
天井シーリング受付近に任意の固定手段を介して着脱可能に取付けられたカバーと、カバーに設けられた複数の通気口と、カバー下部中央部に設けられた固定具受と、カバーに支持される内筒と、内筒の外側にベアリングを介して回転可能に取付けられた外筒と、外筒に設けられた複数の羽根と、外筒を回転させる回転制御機構と、シーリング受からの電源を前記制御機構に伝達する電源供給手段よりなる冷暖房省エネシーリングファン。
【請求項２】
制御信号を発信するリモコン装置を具備し、制御信号に対応する制御手段を有するものであることを特徴とする請求項１記載の冷暖房省エネシーリングファン。
【発明の詳細な説明】
【技術分野】
【０００１】  この発明は蛍光灯のシーリングカバーに羽根付きカバーを取り付け部屋内空気に対流循環現象をおこし上下の温度差をなくするシーリングファンに関するものである。
【背景技術】
【０００２】  従来、蛍光灯に大型ファンを取付けた高価な商品があるのみで一般家庭向き商品は見当たらない。
【発明の開示】
【発明が解決しようとする課題】
【０００３】  そのために次のような問題点があった。
（イ）冷暖房器具で快適体感温度を得るのに時間を費やしていた。
（ロ）春秋の終り冷暖器具を使用する程ではないが寒暖を感じ体調を崩すことがあった。
（ハ）部屋内の調度品と壁際は風の通りが悪くカビや病害虫の発生源と化していた。
本発明は、これらの問題点を解決するためになされたものである。
【課題を解決するための手段】
【０００４】  天下げ式蛍光灯（１７）のシーリングカバーを内外筒二重構造の羽根付きファンカバーにし、内筒（１）に小型電動モータ（５）を設置する、モータ（５）に回転駆動ギア（６）を内筒（１）のギア用開口部（２０）からギア部が突出するように設ける。その回転動力の受けを外筒（２）の内面一周に受けギア（７）として設け、外面には６枚羽根（４）を各々設ける。内外筒の接続はメンテナンス不要の無給油ベアリング（８）を上下二個所の溝にはめ込み、モータ（５）からの回転お駆動ギア（６）を介し受けギア（７）をへて外筒（２）をスムーズに回転させる構成よりなる。
以上を特徴とするシーリングファンである。
【発明の効果】
【０００５】  室温を均一化させることで室内快適温度が維持でき冷暖房器具の使用開始時期を遅らせ、尚且つ冷暖房効果が早く求められるので省エネ効果につながり、風の流れが壁面を沿って隅々の空気を動かすので快適な室内環境をつくり健全な生活が送られる。叉、ドライバー一本で簡単に装着ができるので、生活環境に合はせ各部屋に幅広く使用できる。
可動制御はリモコンによりおこなう。スイッチは部屋内の状態にあわせ、ＯＮ／ＯＦＦと回転数制御を可能とした経済性を考慮した構成になっている。
【発明を実施するための最良の形態】
【０００６】  以下、本発明の実施の形態について、図１から図８をもちいて説明する。
本発明は、図１に示すように任意の天下げ式蛍光灯に取り付けて使用するもので、カバー内の羽根の回転により室内に対流循環現象をおこすことにより、上下空間の温度差を解消するシーリングファンである。
本発明は、シーリング受けに固定するとともに電源を得る取付機構部、内筒部、外筒部、駆動部、カバー部により構成されている。
取付機構部は図２に示すように任意の引掛けシーリング受（２９）を通すための開口部（３２）を中心に設けるとともにビス穴（２１）を有する円盤状の取付盤（９）と、この取付盤（９）をビス穴（２１）を通して天井に固定する取り付けビス（１１）と、蛍光灯のコード取り付けを兼用する着脱式の引っ掛けシーリング（１０）とより構成されている。
ここで、取付盤（９）は図３に示すようにカバー（３）の内側から固定することができる大きさとなったものである。
内筒部は図３図６に示すように円筒形の側面を有し、中央部下方に垂下した内筒固定具（１４）を有する底面と、モーター（５）を固定する固定バンド（２６）、内筒の側面の一部に設けられたギア用開口部（２０）、内筒外側上下にそれぞれ一周するように設けられたベアリング溝（１９）により構成されている。そして、図３に示すように内筒（１）は固定突起（３０）により取付盤（９）に固定される。
外筒部は図２および図５に示すように内筒（１）の回りに配置される外筒（２）と、外筒の外壁に設けられた複数の羽根（４）と、内壁部に設けられたベアリング溝（１９）、受ギア（７）により構成されている。
図２における事例においては、羽根（４）は等間隔に８枚設けられており、その形状は下方に向かって小さくなっている。
外筒（２）のベアリング溝（１９）は前記内筒（１）のベアリング溝（１９）に対向する位置に一周にわたり設けられたものであり、図３および図６に示すように無給油ベアリング（８）を介して内筒（１）に外筒（２）が回転可能となるように固定されている。
受ギア（７）は、図５に示すように外筒（２）の内壁に一周するように設けられたものであり、ギアを介して外筒（２）を内筒（１）に取り付けた状態で、図３に示すように内筒（１）のギア用開口部（２０）の高さ位置に設けられている。
駆動部、は図３図４に示すように前記引っ掛けシーリングのコード止ビス（２８）でシーリング受（２９）からの電源を得るコードと、この電源を整流する整流器（１２）、整流器（１２）から整流された電源をコードを介して受け駆動するモータ（５）により構成されている。モータ（５）は前記内筒（１）の固定バンドにより内筒内壁に固定されるようになっている。この際、モータ（５）のモータシャフト（２５）を介して回転する駆動ギア（６）が前記ギア用開口部（２０）から内筒外壁へ露出するとともに、前記外筒（２）の回転駆動ギア（６）に接触し、外筒を回転させるようにモータ（５）は位置されている。
また、整流部にはリモコン受信機（１３）が接続されており、利用者が操作するリモコンの電波を受信するようになっている。このリモコン受信機からの信号を受けて制御する制御部（３３）が設けられており、これにより各種回転制御がおこなわれる。
カバー部は、図２図３に示したように取付盤（９）に内筒および外筒を覆うように取り付けられる形状よりなっている。側面には、複数の通気口（２３）が設けられている。この通気口（２３）は外筒を回転させたときに羽根により起こる空気を外に排出させるものであり、その形状については上記目的を果たすものであればよく、図示されたものに限定されるものではない。
カバー底部には、装着時に図８に示すように前記内筒（１）の内筒固定金具（１４）が嵌る形状よりなり開口した固定具受（１５）がある。また、カバー上部は図７に示すように、ワイヤ線などによる固定金具（２２）が設けられている。この固定金具（２２）は、図に於は対向する位置に２個設けられているが、これを天井に固定した取付盤（９）に引っ掛けた状態で安定して固定させるのに適した位置や個数であればよい。
本発明は以上の構成よりなる。
これを利用するときは、まず取付盤（９）を引掛けシーリング受（２９）を中心の開口部（３２）から露出させるようにして取り付けビス（１１）で固定する。
次に、任意の蛍光灯の引掛けシーリング（１０）からコード止めビス（２８）を緩め蛍光灯コード（１６）を外し、カバー（３）の開口した固定具受（１５）を通し、外筒（２）が装着された内筒（１）の下開口部を通す。通過された状態で、整流器（１２）に配線されたモータ電気コード（２７）とあわせて引っ掛けシーリング（１０）にコード止めビス（２８）で固定し、蛍光灯およびモータの電源供給手段とし、この状態で引っ掛けシーリング受け（２９）に取り付ける。
次に、外筒が装着された内筒を固定突起（３０）により取付盤に固定する。更にカバーを内筒下部の内筒固定具（１４）と固定具受（１５）が嵌る位置に合せて固定金具（２２）を取付盤（９）と天井の隙間に入れるように差込みカバーを固定する。
このように取り付けた状態で、可動制御においては、リモコンによりおこなう。図１にそのリモコンの例をあげているが、スイッチによりＯＮ／ＯＦＦを設定できるようになっている。更に、本事例においては、その回転数を制御する３段階のスイッチとなっている。
これを回転させない状態にあっては、部屋内で上部空間と下部空間には温度差が生じた状態となっている。つまり、上部空間は暖かく、下部空間は冷たい状態となっている。更に、部屋内の壁際には調度品が置かれてあり風が通らず、埃や湿気などでカビや害虫が発生し易い状態となっている。この状態で本発明品を利用すると、外筒の回転により羽根から空気が回転方向に流される。この空気は通気口（２３）から壁面を通って下部空間に流れ部屋内に気流を起こし、その気流が部屋内を巡回し、上部空間と下部空間の温度差を減少させる。更に、気流が部屋内を隅々まで巡回することで、カビや害虫の発生を抑える。
【図面の簡単な説明】
【０００７】
【図１】本発明の斜視図
【図２】本発明の分解斜視図
【図３】本発明の断面図と一部の斜視図
【図４】本発明の一部断面図
【図５】本発明の一部断面斜視図
【図６】本発明の一部分解斜視図
【図７】本発明の一部分解斜視図
【図８】本発明の一部断面斜視図
【符号の説明】
【０００８】１    内筒
２    外筒
３    カバー
４    羽根
５    モータ
６    駆動ギア
７    受ギア
８    無給油ベアリング
９    取付盤
１０  引掛けシーリング
１１  取り付けビス
１２  整流器
１３  リモコン受信機
１４  内筒固定具
１５  固定具受
１６  蛍光灯コード
１７  蛍光灯
１８  リモコン
１９  ベアリング溝
２０  ギア用開口部
２１  ビス穴
２２  固定金具
２３  通気口
２４  配線コード
２５  モータシャフト
２６  固定バンド
２７  モータ電気コード
２８  コード止ビス
２９  引掛けシーリング受
３０  固定突起
３１  ボルト
３２  開口部
３３  モータ制御部
【図１】
2005180412.tif 000003
【図２】
2005180412.tif 000004
【図３】
2005180412.tif 000005
【図４】
2005180412.tif 000006
【図５】
2005180412.tif 000007
【図６】
2005180412.tif 000008
【図７】
2005180412.tif 000009
【図８】
2005180412.tif 000010